(57)【要約】【課題】取付及び取外し作業がきわめて容易であるとともに、極めて簡単な構成とすることができるキャップ付きネジ及び目隠し用キャップを提供する。【解決手段】  本発明のキャップ付きネジ１は、ネジが切られたネジ軸７と該ネジ軸７の一端に設けられドライバー溝８が形成されたネジ頭４とを備えるネジ本体３と、前記ドライバー溝８を目隠しするための目隠し用キャップ２と、を具備するキャップ付きネジ１であって、前記ネジ頭４には、その側周面に、前記目隠し用キャップ２の側縁を折曲した係止爪６の内側方向への突出部分を係止可能に外側方向に突出して形成された段部９が設けられた。【選択図】図１
2009191979.tif 000002
【特許請求の範囲】
【請求項１】
ネジが切られたネジ軸と該ネジ軸の一端に設けられドライバー溝が形成されたネジ頭とを備えるネジ本体と、前記ドライバー溝を目隠しするための目隠し用キャップと、を具備するキャップ付きネジであって、
前記ネジ頭には、その側周面に、前記目隠し用キャップの側縁を折曲した係止爪の内側方向への突出部分を係止可能に外側方向に突出して形成された段部が設けられたことを特徴とするキャップ付きネジ。
【請求項２】
ネジが切られたネジ軸と該ネジ軸の一端に設けられドライバー溝が形成されたネジ頭とを備えるネジ本体に取り付ける目隠し用キャップであって、
前記ネジ頭の上面に当接する目隠し部と、該目隠し部の端縁を折曲して形成され、先端が前記ネジ頭の上周縁よりも大きな円弧上に形成されるとともに中間部が内側に突出して当該ネジ頭の側周面に設けられた段部に係止される係止爪と、を備えることを特徴とする目隠し用キャップ。
【請求項３】
板金により形成されたことを特徴とする請求項２に記載の目隠し用キャップ。
【発明の詳細な説明】
【技術分野】
【０００１】
本発明は、ネジ頭のドライバー溝を目隠しすることができるキャップ付きネジ及びこのキャップ付きネジに用いられる目隠し用キャップに関する。
【背景技術】
【０００２】
従来より、一の部材を他の部材に固定する用途として用いられるネジには、ネジを回転させるためにプラスやマイナスなどのドライバー溝をネジ頭に設けている。このネジ頭は、固定する部材にネジを螺着させたときに外部に露出することとなるので、ドライバー溝が外側から目立ち、内装材としてのボードなどを取り付ける場合には外観上好ましくない場合が多い。
【０００３】
そこで、このドライバー溝を目隠しするために、ネジ頭に取り付ける目隠し用キャップが種々提案されている。例えば、図８に示すように、中心部にネジ１００のネジ軸１０１が挿通される貫通孔１０２を有する座金部１０３と、該座金部１０３に圧入して嵌合される蓋部１０４とをヒンジ１０５によって連結してなる合成樹脂で形成された目隠し用キャップ１０６が提案されている（例えば特許文献１）。
【０００４】
このような目隠し用キャップ１０６を取り付ける際には、貫通孔１０２にネジ軸１０１を挿通した状態で、固定する部材１０７にネジ１００をねじ込んで螺着させ、ネジ頭１０８と部材１０７との間に挟持された座金部１０３に蓋部１０４を嵌合させる。これにより、ネジ頭１０８は蓋部１０４に目隠しされることとなるので、部材１０７の外観にネジ頭１０８が露出せず、部材の外観をより好ましいものとすることができる。
【特許文献１】特開平８−３２００１２号公報
【発明の開示】
【発明が解決しようとする課題】
【０００５】
しかし、上述のような目隠し用キャップ１０６は、座金部１０３の貫通孔１０２にネジ１００のネジ軸１０１を挿通した状態で、ネジ１００を固定する部材１０７に螺着させなければならないので、作業者は目隠し用キャップ１０６を保持しつつネジ１００の螺着作業を行うこととなり、単にネジ１００のみを螺着させる作業に比べて作業が難しいものとなる。
【０００６】
また、目隠し用キャップ１０６を取り外す場合に、一旦ネジ１００を部材１０７から取り外す必要があるので、目隠し用キャップ１０６のみを取り替えたいような場合に作業効率が悪い。
【０００７】
さらに、上述のような目隠し用キャップ１０６は、少なくも座金部１０３、蓋部１０４、及びヒンジ１０５を備える必要があるので、複雑なものとなり製造コストが高くなりやすい。また、合成樹脂により形成されているので、変色し易いという問題もあった。
【０００８】
そこで、本発明は、取付及び取外し作業がきわめて容易であるとともに、極めて簡単な構成とすることで安価に製造できるキャップ付きネジ及び目隠し用キャップを提供することを目的とする。
【課題を解決するための手段】
【０００９】
上記目的を達成するために、請求項１に記載のキャップ付きネジは、ネジが切られたネジ軸と該ネジ軸の一端に設けられドライバー溝が形成されたネジ頭とを備えるネジ本体と、前記ドライバー溝を目隠しするための目隠し用キャップと、を具備するキャップ付きネジであって、前記ネジ頭には、その側周面に、前記目隠し用キャップの側縁を折曲した係止爪の内側方向への突出部分を係止可能に外側方向に突出して形成された段部が設けられたことを特徴としている。
【００１０】
請求項２に記載の目隠し用キャップは、ネジが切られたネジ軸と該ネジ軸の一端に設けられドライバー溝が形成されたネジ頭とを備えるネジ本体に取り付ける目隠し用キャップであって、前記ネジ頭の上面に当接する目隠し部と、該目隠し部の端縁を折曲して形成され、先端が前記ネジ頭の上周縁よりも大きな円弧上に形成されるとともに中間部が内側に突出して当該ネジ頭の側周面に設けられた段部に係止される係止爪と、を備えることを特徴としている。
【００１１】
請求項３に記載の目隠し用キャップは、板金により形成されたことを特徴としている。
【発明の効果】
【００１２】
本発明の請求項１に記載のキャップ付きネジによると、ネジ頭の側周面には、目隠し用キャップの側縁を折曲した係止爪の内側方向への突出部分を係止可能に外側方向に突出して形成された段部が設けられているので、ネジ本体により部材を固定した後、外部に露出しているネジ頭に目隠し用キャップを押圧して被せるだけで、目隠し用キャップの係止爪がネジ頭の段部に係止されるので、極めて容易に目隠し用キャップを取り付けることができる。また、取り付けられた目隠し用キャップをネジ頭から引き剥がすことで、極めて容易に目隠し用キャップを取り外すことができる。
【００１３】
請求項２に記載の目隠し用キャップによると、ネジ頭の上面に当接する目隠し部の端縁を折曲して係止爪が形成され、この係止爪の先端はネジ頭の上周縁よりも大きな円弧上に形成されるとともに中間部が内側に突出して当該ネジ頭の側周面に設けられた段部に係止されるので、目隠し用キャップをネジ頭に取り付ける際には、係止爪の内側の面をネジ頭の外周縁に当接させて目隠し部を押圧するだけで、極めて容易に目隠し用キャップをネジ頭に取り付けることができる。また、取り付けられた目隠し用キャップをネジ頭から引き剥がすことで、極めて容易に目隠し用キャップを取り外すことができる。
【００１４】
請求項３に記載の目隠し用キャップによると、板金により形成されているので、従来の樹脂製のものに比べて強度を保ちつつ薄く形成することができる。したがって、目隠し用キャップがより目立たない。また樹脂製のものに比べて、劣化しにくく長期間の使用に耐えることができる。
【発明を実施するための最良の形態】
【００１５】
以下、本発明に係るキャップ付きネジ１及び目隠し用キャップ２の最良の実施形態について、図面を参照しつつ説明する。
【００１６】
キャップ付きネジ１は、図１及び図２に示すように、目隠し用キャップ２とネジ本体３とにより構成される。目隠し用キャップ２は、弾性を有する板金を成形加工して形成されており、ネジ本体３のネジ頭４の上面に当接する円形平板状の目隠し部５と、この目隠し部５の端縁を折曲して形成した４個の係止爪６とにより構成されている。係止爪６は、先端がやや外側方向に広がって形成されるとともに、その中間部は内側方向にやや突出している。
【００１７】
ネジ本体３は、先端が尖って形成され側面がネジ切られたネジ軸７と、ネジ軸７の先端と反対側の端部に設けられたネジ頭４とにより構成されている。ネジ頭４は、その上面にプラスドライバーに整合するドライバー溝８が設けられている。なお、このドライバー溝８の形状はマイナスドライバーに整合するものであってもよいことは云うまでもない。また、ネジ頭４の側周面は、図２に示すように、ネジ軸７側の直径ａよりも上面側の直径ｂが長くなるようにその中間に段部９が設けられている。
【００１８】
目隠し用キャップ２の係止爪６の先端から当該係止爪６に対向する係止爪６の先端までの長さは、ネジ頭４の上面側の直径ｂよりも長くなるように形成されている。一方、係止爪６の中間部の最も内側に膨らんだ位置から、当該係止爪６に対向する係止爪６の中間部の最も内側に膨らんだ位置までの長さｄは、ネジ頭４の上面側の直径ｂよりも短く形成されているとともに、ネジ頭４のネジ軸７側の直径ａよりも長く形成されている。
【００１９】
このように構成される目隠し用キャップ２をネジ本体３のネジ頭４に係止させるときには、まず、図３（Ａ）に示すように、ネジ頭４の上面側の側縁に目隠し用キャップ２の係止爪６を当接させる。このとき係止爪６の先端から対向する係止爪６の先端までの長さは、ネジ頭４の上面側の直径ｂよりも長く形成されているので、作業者が係止爪６を広げることなく、ネジ頭４の上面側の側縁に係止爪６の内側の面が当接する。そして、図３（Ｂ）に示すように、目隠し用キャップ２の目隠し部５をネジ頭４方向に押圧する。この押圧する力によりネジ頭４の上面側の側縁に当接している係止爪６は、ネジ頭４が挿入されるにしたがって、外側方向に広げられる。更に目隠し用キャップ２の目隠し部５をネジ頭４方向に押圧すると、図３（Ｃ）に示すように、ネジ頭４の上面に目隠し部５の内面が当接する。そしてこのとき外側方向に広げられていた係止爪６はその弾性によりもとの形状に戻る。係止爪６の中間部の最も内側に膨らんだ位置から、対向する係止爪６の中間部の最も内側に膨らんだ位置までの間の長さは、ネジ頭４のネジ軸７側の直径よりも長く、且つ、ネジ頭４の上面側の直径よりも短く形成されているので、ネジ頭４の側面に設けられた段部９により係止爪６が係止され、目隠し用キャップ２とがネジ頭４に係止される。
【００２０】
次に、上述のキャップ付きネジ１の使用例について、図４から図６を参照しつつ説明する。本実施形態のキャップ付きネジ１は、例えば、建物内装工事における天井ボードの取り付けのように、人の目に触れる位置にネジ本体３のネジ頭４が露出するような場合に主に用いられる。以下に、建物の野縁１０に天井ボード１１を取り付ける例について説明するが、本発明の実施形態はこれに限定されるものではなく、一の部材を他の部材に固定する様々な用途に用いることができることは云うまでもない。
【００２１】
まず、図４に示すように、目隠し用キャップ２を外した状態のネジ本体３をドライバー１２などで天井ボード１１にねじ込み、天井ボード１１と野縁１０とを固定する。そして、ネジ本体３のネジ軸７が完全に天井ボード１１に挿入されるまでねじ込むと、次に、図５に示すように、天井ボード１１から露出しているネジ頭４に目隠し用キャップ２を押し当て、目隠し用キャップ２の目隠し部５を押圧し、図６に示すように、目隠し用キャップ２をネジ頭４に係止する。
【００２２】
このようにすると、建物の居住者が天井ボード１１を見るときには、目隠し用キャップ２によりネジ頭４のドライバー溝８は目隠しされるので、天井ボード１１の外観が自然なものとなる。本実施形態においては、目隠し用キャップ２の少なくとも外側面には、固定する部材である天井ボード１１とほぼ同じ色の塗料を塗布している。これにより、目隠し用キャップ２をより目立たなくすることができ、天井ボード１１の外観をよりよくすることができる。なお、目隠し用キャップ２には塗料の塗布に替えて、固定する部材である天井ボードと略同一色のシートを貼着させてもよく、また、天井ボードなどの部材が、例えば、木材等のように模様を有するものである場合は、木目模様のシートを貼着してもよい。
【００２３】
なお、本実施形態においては、目隠し用キャップ２の係止爪６を４つ設ける構成について説明したが、係止爪６はこれに限定されるものではなく、例えば、図７に示すように、目隠し部５の側縁の全てに係止爪６が設けられ各係止爪６の間に切り込みが入ったものであっても良い。このように構成しても、ネジ本体３のネジ頭４に目隠し用キャップ２を係止することができる。
【００２４】
なお、キャップ付きネジ１及び目隠し用キャップ２は本発明の技術的思想を逸脱しない範囲で適宜変更することができることは云うまでもない。
【産業上の利用可能性】
【００２５】
本発明は、２つの部材を固定したときに、ネジ頭４のドライバー溝８が外部に露出する場合に好適に用いることができる。
【図面の簡単な説明】
【００２６】
【図１】キャップ付きネジ１の外観を示す分解斜視図。
【図２】キャップ付きネジ１の形状を示す断面図及び部分拡大図。
【図３】ネジ本体３のネジ頭４に目隠し用キャップ２を取り付ける状態を示す部分拡大断面図。
【図４】ネジ本体３を天井ボード１１の取り付けに用いる例を示す使用状態説明図。
【図５】ネジ本体３のネジ頭４に目隠し用キャップ２を押し付ける状態を示す使用状態説明図。
【図６】ネジ本体３のネジ頭４への目隠し用キャップ２の取り付けを完了した状態を示す使用状態説明図。
【図７】目隠し用キャップ２の別の実施形態を示す斜視図。
【図８】従来の目隠し用キャップ１０６を示す簡略断面図。
【符号の説明】
【００２７】
１      キャップ付きネジ
２      目隠し用キャップ
３      ネジ本体
４      ネジ頭
５      目隠し部
６      係止爪
７      ネジ軸
８      ドライバー溝
９      段部
【図１】
2009191979.tif 000003
【図２】
2009191979.tif 000004
【図３】
2009191979.tif 000005
【図４】
2009191979.tif 000006
【図５】
2009191979.tif 000007
【図６】
2009191979.tif 000008
【図７】
2009191979.tif 000009
【図８】
2009191979.tif 000010